(57)【特許請求の範囲】
【請求項１】
吹出口を有するハウジング内に蒸発器、凝縮器及び圧縮機を備えた冷凍サイクルが収容され、前記ハウジング内に、前記蒸発器を通過した除湿空気を吹出口から吹出す冷風路と、前記凝縮器を通過した温風を、切換手段によって排気口又は前記吹出口から選択的に吹出可能とした温風路と、前記冷凍サイクルの運転を制御する制御装置とが設けられ、ドライ運転時に、送風機によって前記ハウジング内に吸込まれた空気が前記蒸発器を通過した後、除湿空気として前記吹出口から放出され、前記蒸発器にて発生した凝縮水がドレンタンクに貯留される空気調節装置であって、前記ドレンタンクに満水検知装置が設けられ、前記蒸発器を通過した除湿空気を加熱する発熱体が設けられ、前記ドライ運転は、前記発熱体に通電しない除湿運転と、前記発熱体を駆動する衣類乾燥運転とに分けられ、前記制御装置は、前記切換手段を制御して、クール運転時には前記温風路の温風を前記排気口から吹出すようにし、ドライ運転中は、前記温風路の温風を前記吹出口から前記除湿空気とともに吹出すようにし、前記ドライ運転が除湿運転の場合は、前記満水検知装置からの信号によって前記ドレンタンクが満水であることを検知したときに、前記圧縮機への通電を停止して前記送風機の運転を継続し、前記ドライ運転が衣類乾燥運転の場合は、前記満水検知装置からの信号によって前記ドレンタンクが満水であることを検知したときに、前記圧縮機への通電を停止し、前記発熱体への通電及び前記送風機の運転を継続することを特徴とする空気調節装置。
【請求項２】
吹出口を有するハウジング内に蒸発器、凝縮器及び圧縮機を備えた冷凍サイクルが収容され、前記ハウジング内に、前記蒸発器を通過した除湿空気を吹出口から吹出す冷風路と、前記凝縮器を通過した温風を、切換手段によって排気口又は前記吹出口から選択的に吹出可能とした温風路と、前記冷凍サイクルの運転を制御する制御装置とが設けられ、ドライ運転時に、送風機によって前記ハウジング内に吸込まれた空気が前記蒸発器を通過した後、除湿空気として前記吹出口から放出され、前記蒸発器にて発生した凝縮水がドレンタンクに貯留される空気調節装置であって、前記ドレンタンクに満水検知装置が設けられ、前記制御装置は、前記切換手段を制御して、クール運転時には前記温風路の温風を前記排気口から吹出すようにし、ドライ運転中は、前記温風路の温風を前記吹出口から前記除湿空気とともに吹出すようにし、前記満水検知装置からの信号によって前記ドレンタンクが満水であることを検知したときに、前記圧縮機への通電を停止して前記送風機の送風量を増加させることを特徴とする空気調節装置。
【請求項３】
前記蒸発器を通過した除湿空気を加熱する発熱体が設けられ、前記ドライ運転は、前記発熱体に通電しない除湿運転と、前記発熱体を駆動する衣類乾燥運転とに分けられ、前記制御装置は、衣類乾燥運転中に、前記満水検知装置からの信号によって前記ドレンタンクが満水であることを検知したときに、前記圧縮機への通電を停止し、前記発熱体への通電及び前記送風機の運転を継続することを特徴とする請求項２記載の空気調節装置。
【発明の詳細な説明】
【技術分野】
【０００１】
本発明は、冷凍サイクルの運転によって除湿を行うことのできる床置き型の空気調節装置に関するものである。
【背景技術】
【０００２】
除湿機等の空気調節装置において、衣類乾燥運転を行うときは、冷凍サイクルの運転によって除湿し、除湿した空気を衣類等に直接当てて水分を蒸発させ衣類の乾燥を行なっている。特許文献１に記載された除湿機では、送風路内に発熱体を入れて風の吹き出し温度を上げて乾燥時間を早めている。
【０００３】
また、蒸発器を通過した風を吹出口から吹き出すための送風機と、凝縮器を冷却するための第２送風機を設け、蒸発器を通過した風路内に発熱体を設け、風の温度を上げて乾燥時間を早めている。
【０００４】
そして蒸発器で凝縮した水は、凝縮水を受ける水受け皿で集められ、ドレンタンクに貯留される。ドレンタンクにはフロートが設けられ、凝縮水が満水になるとフロートが作動し、本体の運転を停止していた。
又、通常衣類乾燥運転ではタイマーや、特許文献２記載の様に衣類が乾燥する時間を予測して、自動的に運転を停止する場合が多い。
【特許文献１】特開２００３−４２５１４号公報
【特許文献２】特開２００３−４２５１２号公報
【発明の開示】
【発明が解決しようとする課題】
【０００５】
ユーザーが衣類乾燥運転をセットし、タイマー運転や特許文献２記載の様に衣類が乾燥する時間を予測して自動的に停止するモードで運転した場合や、ユーザーが操作しない場合等、衣類が完全に乾燥する前にドレンタンクが満水になると、本体が停止してしまい、衣類が生乾きのままで衣類乾燥運転が終了してしまう場合があった。
【０００６】
本発明は、上記に鑑み、除湿運転中にドレンタンクが満水になった場合でも、本来の目的である衣類の乾燥を継続して行うことのできる除湿機等の空気調節装置の提供を目的とする。
【課題を解決するための手段】
【０００７】
そこで、本発明に係る空気調節装置は、吹出口を有するハウジング内に蒸発器、凝縮器及び圧縮機を備えた冷凍サイクルが収容され、該冷凍サイクルの運転を制御する制御装置が設けられ、ドライ運転時に、送風機によってハウジング内に吸込まれた空気が蒸発器を通過した後、除湿空気として吹出口から放出され、蒸発器にて発生した凝縮水がドレンタンクに貯留される空気調節装置であって、ドレンタンクに満水検知装置が設けられ、制御装置は、ドライ運転中に、満水検知装置からの信号によってドレンタンクが満水であることを検知したときに、圧縮機への通電を停止し、送風機の運転を継続することを特徴とする。
【０００８】
上記構成によれば、除湿運転における冷凍サイクルの運転中、蒸発器にて凝縮した水がドレンタンクに貯留し、満水になった場合は圧縮機の運転を停止することにより、新たな凝縮水の発生を抑制する。一方、送風機の運転は継続しているので送風により衣類の乾燥は促進される。すなわち、いくぶん室内空気の相対湿度は高くなる場合があるものの、衣類の生乾きを防止することが可能となる。
【０００９】
本発明に係る空気調節装置は、ハウジング内に、蒸発器を通過した除湿空気を吹出口から吹出す冷風路と、凝縮器を通過した温風を、切換手段によって排気口又は前記吹出口から選択的に吹出可能とした温風路とが設けられ、前記制御装置は、前記切換手段を制御して、クール運転時には前記温風路の温風を前記排気口から吹出すようにし、ドライ運転時には前記温風路の温風を前記吹出口から前記除湿空気とともに吹出すようにした構成とされている。
【００１０】
すなわち、本発明においてドライ運転とは、蒸発器を通過した除湿空気（冷風）と、凝縮器を通過した温風とを同じ吹出口から吹出すようにして凝縮器から発生する熱を再熱利用する運転態様を意味する。
【００１１】
また、本発明においては、衣類の乾燥を促進するため、蒸発器を通過した除湿空気（冷風）を加熱する発熱体を設けてもよく、この場合、ドライ運転として、発熱体に通電しない除湿運転と、発熱体を駆動する衣類乾燥運転のいずれかを選択することができる。そして、衣類乾燥運転中に、満水検知装置からの信号によってドレンタンクが満水であることを検知した場合には、圧縮機への通電を停止し、発熱体への通電及び前記送風機の運転を継続する。
【００１２】
これにより、圧縮機の運転を停止した後も吹出口から加熱することで相対湿度を低下させた温風を吹出すことが可能となり、衣類の乾燥を促進することができる。なお、除湿運転を選択した場合に、除湿運転中に満水検知装置からの信号によってドレンタンクが満水であることを検知したときには、前述のごとく、圧縮機への通電を停止し、送風機の運転を継続する。
【００１３】
本発明では、ドレンタンクが満水になったときに、送風機の運転を継続するため、ユーザーが圧縮機も駆動しているものと間違える場合がある。そこで、本発明では、圧縮機の通電を停止し、送風機の運転を継続する場合に、ユーザーに圧縮機が停止していることを報知する報知手段を設置することを可能とした。報知手段としては、光を点灯或いは点滅させる表示手段であってもよいし、音で知らせるものであってもよい。
【００１４】
本発明において、送風機を継続運転する場合、ユーザーが手動で停止するまで送風機を運転するようにしてもよいし、一定時間経過後に運転を停止するようにしてもよい。また、連続運転と一定時間運転とを選択可能にすることもできる。
【００１５】
制御装置は、満水検知装置からの信号によってドレンタンクが満水であることを検知したときに、送風機の送風量を増加させることも可能であり、これにより、衣類に吹き付けられる風量が増えて、衣類の乾燥が促されるとともに、発熱体を通過する空気量が増えるので、圧縮機の停止による吹出口の温度上昇を抑え、ハウジングの損傷を防止する働きもある。このような制御を行うことは、除湿機のような一体型の空気調節装置において、衣類乾燥をより効率よく行うことを可能とする。
【発明の効果】
【００１６】
本発明によると、衣類乾燥運転時には、衣類が乾燥する前にドレンタンクが満水になって圧縮機が停止した場合でも送風機、発熱体への通電を継続し、衣類に対して空気を吹き出すことになるので、衣類乾燥の生乾きを抑えることが出来、生乾きの時の臭いも抑えることが出来る。
【発明を実施するための最良の形態】
【００１７】
本発明の実施形態を図面を基に説明する。図１は、本発明に係る空気調節装置としての除湿機を示す概略構成図である。除湿機の合成樹脂製ハウジング１は、縦長タイプで前後方向の奥行きが小さい構造とされる。ハウジング１内には、蒸発器２、凝縮器３、圧縮機４がそれぞれ設けられ、これらによって冷凍サイクルが構成される。
【００１８】
ハウジング１の内部は、上下に仕切られ、上側に蒸発器２および凝縮器３が配され、下側に圧縮機４が配される。蒸発器２の下方には水受け皿３６その下方にはドレンタンク５が配される。ドレンタンク５は、ハウジング１の側面の下部から出し入れ可能とされる。
【００１９】
ハウジング１の前面の上部に吹出口６、背面の中央部に吸込口７、その上方に排気口８がそれぞれ形成される。ハウジング１の上面には、操作部と持ち運び用の把手とが設けられ、下面の４隅にはキャスタ９が取り付けられ、容易に移動可能とされる。
【００２０】
ハウジング１内部には、吸込口７から蒸発器２を通って吹出口６に至る冷風路１０と、吸込口７から凝縮器３を通り、その下流側で分岐する温風路１１とが形成される。温風路１１は、分岐路の一方１１ａが排気口８に至り、他方１１ｂが吹出口６に至るように形成されている。冷風路１０では、蒸発器２の下流側に第１送風機１２が配される。
【００２１】
第１送風機１２は、蒸発器２を通過した風を吹出口６から吹き出す。温風路１１では、凝縮器３の下流側に第２送風機１３が配される。第２送風機１３は、凝縮器３を冷却した風を第１吹き出し口６又は排気口８から吹き出す。
【００２２】
冷風路１０中に、正イオンおよび負イオンを発生するイオン発生装置１５が設けられ、冷風とともに正イオンおよび負イオンが室内に放出される。イオン発生装置１５は、第１送風機１２の下流側に配される。また、冷風路１０中に、発熱体としてヒータ１６が設けられる。ヒータ１６は、第１送風機１２の下流側に配され、蒸発器２を通過した風を温める。吹出口６にはルーバー(図示せず)が設けられている。ルーバーは、モータによって上下方向に回動される。このルーバーと一体的に縦ルーバーが設けられる。
【００２３】
温風路１１は、前述のごとく、途中で分岐している。分岐点は、第２送風機１３の下流側に位置し、分岐点に、温風の流れ方向を切換える切換手段としてのダンパー１７が設けられる。ダンパー１７が回動することにより、温風路１１は、冷風路１０に対して独立した状態と、冷風路１０に接続された状態とに切り替えられる。
【００２４】
すなわち、温風路１１が冷風路１０に対して独立した状態では、温風は分岐路１１ａを通って排気口８から吹出し、冷風路１０に接続された状態では、温風は分岐路１１ｂを通り、分岐路１１ｂが接続された冷風路１０を通過して吹出口６から吹出す。
【００２５】
本実施形態に係る除湿機は、上述のように、ダンパー１７の切換操作によって、温風の吹出し方向を変更することが可能であり、温風を排気口８から吹出す運転態様（クール運転）の場合には、冷風のみ吹出口６から吹出すことになる。この場合、室内全体でみた場合には室温を低下させる効果はないものの、吹出口６から冷風の吹出す領域はスポット的に冷房運転と同じ効果を得ることができる。温風を吹出口６から冷風とともに吹出す運転態様（ドライ運転）の場合には、吹出す除湿空気の温度低下を招くことなく除湿することが可能となる。
【００２６】
なお、ダンパー１７の回動は、レバー操作によって行なわれる。あるいはモータ(図示せず)によってダンパー１７を回動させてもよい。また、ダンパー１７の代わりに、切換バルブ(図示せず)を用いて、送風切換を行ってもよい。
【００２７】
本実施形態の除湿機には、図２に示すように、冷凍サイクルの運転を制御する制御装置が設けられる。マイクロコンピュータからなる制御装置２０には、室内の湿度を検出する湿度検知器２１、室温を検出する温度検知器２２、蒸発器２の温度を検出する蒸発器温度検知器２３、ヒータ１６の近傍の温度を検出するヒータ温度検知器２４、ドレンタンク５の満水を検出する満水検知装置２５、ハウジング１に加わった振動を検出する振動検知器２６がそれぞれ接続される。
【００２８】
また、各送風機１２、１３のモータを駆動するためのモータ駆動回路２７、圧縮機４を駆動するための圧縮機駆動回路２８、ヒータ１６に通電するためのヒータ駆動回路２９、イオン発生装置１５に高電圧を印加するための高圧ユニット駆動回路３０、ルーバーのモータを駆動するためのルーバー駆動回路３１がそれぞれ接続される。湿度検知器２１および温度検知器２２は、吸込口７の近傍に配され、室内から吸い込んだ空気の温度や湿度を検出する。蒸発器温度検知器２３は蒸発器２の表面温度を検出する。
【００２９】
満水検知装置２５は、ドレンタンク５の水位に応じて上下するフロート３２と、フロート３２と一体的に設けられた磁石３３と、磁気を検出するホールセンサ等の磁気センサ３４とからなる。フロート３２と磁石３３はドレンタンク５内に配され、磁石３３は支軸を挟んでフロート３２に対向して設けられ、両者はシーソーのように動く。
【００３０】
磁気センサ３４は、ドレンタンク５の上方に設けられ、磁石３３と対向するように配される。ドレンタンク５が満水になると、磁石３３が磁気センサ３４から離れ、磁気センサ３４がオフ信号を出力することにより、満水が検知される。
【００３１】
また、ドレンタンク５がハウジング１から取り出されたとき、磁石３３は磁気センサ３４から離れ、ドレンタンク５がハウジング１に装着されると、磁石３３は磁気センサ３４に近接する。これによって、ドレンタンク５の有無を検知することができる。すなわち、満水検知装置２５は、ドレンタンク５の有無を検出するドレンタンク検知器を兼用している。
【００３２】
振動検知器２６は、球および球の動きに応じてオンオフするスイッチからなる一般的な感震器とされる。振動検知器２６は、ハウジング１内に配される。そして、制御装置２０は、選択された運転モードにしたがって、これらの検知器から入力された情報に基づき各駆動回路を駆動制御する。運転モードとして、冷風運転、衣類乾燥運転、自動除湿運転、連続運転、送風運転が選択可能とされる。運転モードの選択は、操作部の運転切換ボタンを操作することにより行われる。
【００３３】
また、ダンパー１７の切換操作により、クール運転とドライ運転とが選択できる。クール運転では、温風路１１と冷風路１０とはそれぞれ独立しており、吹出口６から冷風が吹き出され、排気口８から温風が吹き出される。ドライ運転では、温風路１１が冷風路１０に連通して、吹出口６から冷風と温風とが同時に吹き出される。なお、モータによってダンパー１７を回動させる場合、運転モードに応じてクール運転あるいはドライ運転を自動的に切り替えることができる。
【００３４】
冷風運転では、クール運転を選択する。第１送風機１２により、室内の空気が吸込口７からフィルタ(図示せず)を通して吸い込まれる。冷風路１０を流れる空気は、蒸発器２で冷却され、空気中の水分が結露して、除湿される。結露した水分は、水受け皿３６で集められその後、ドレンタンク５に貯留される。
【００３５】
除湿された乾燥空気は冷風となって、吹出口６から吹き出される。また、第２送風機１３により、吸込口７からフィルタを通して吸い込まれた空気は、温風路１１を流れ、凝縮器３で加熱されて温風となって、分岐路１１ａを通って排気口８から吹き出される。このとき、設定された風量にしたがって、各送風機１２、１３が駆動される。
【００３６】
そして、冷風運転中に、ドレンタンク５が満水であることを満水検知装置２５の信号によって制御装置２０が検知した場合、制御装置２０は、圧縮機４への通電を停止し、各送風機１２，１３の運転も停止する。
【００３７】
ドライ運転では、吸込口７から冷風路１０に吸い込まれた室内の空気は、蒸発器２により除湿され、冷風となる。凝縮器３によって温められた空気は、分岐路１１ｂを通って前記冷風とともに吹出口６から吹き出される。これにより凝縮器から発生する熱を再熱利用することが可能となり、除湿空気の低温化を招くことなく衣類の乾燥を促進することができる。このとき、設定された風量にしたがって、各送風機１２、１３が駆動される。空気中の水分は、上述のごとく、蒸発器２で結露して取り除かれて、ドレンタンク５に貯留される。
【００３８】
そして、ドライ運転中に、ドレンタンク５が満水であることを満水検知装置２５の信号によって制御装置２０が検知した場合、制御装置２０は、圧縮機４への通電を停止し、各送風機１２，１３の運転は継続する。なお、本実施形態では、送風機１２，１３は一定時間（衣類が乾燥するのに十分な時間に設定される）運転した後、自動的に停止するようになっている。なお、このとき、各送風機１２，１３の風量は、圧縮機４の運転が停止する前よりも風量を増加させることもできる。これによって、衣類の乾燥時間を短縮することが可能となる。
【００３９】
衣類乾燥運転では、ヒータ１６を作動させる以外は、ドライ運転と同様とされている。すなわち、衣類乾燥運転中に、ドレンタンク５が満水であることを満水検知装置２５の信号によって制御装置２０が検知した場合、制御装置２０は、圧縮機４への通電を停止し、ヒータ１６への通電を継続するとともに、各送風機１２，１３の運転を継続する。
【００４０】
自動除湿運転では、ドライ運転を選択する。風の流れは衣類乾燥運転時と同じである。このとき、設定された風量にしたがって、各送風機１２、１３が駆動される。また、室温および室内の湿度に応じて、冷凍サイクルの運転が制御され、除湿運転と送風運転とが切り替えられる。
【００４１】
すなわち、湿度が規定値以上のときは除湿運転が行われ、規定値未満になると、冷凍サイクルの運転が停止されて送風運転が行われる。この規定値は、室温によって異なり、室温が標準温度以下のとき、規定値は標準湿度に設定され、室温が標準温度より高いとき、規定値は標準湿度より低い湿度、例えば５５％に設定される。なお、標準温度は、２７℃あるいは２８℃とされる。標準湿度は、６０％とされる。
【００４２】
また、自動除湿運転では、室温が標準温度よりも低いとき、風量が増大するように各送風機１２、１３が駆動される。すなわち、低温、例えば１５℃以下になったとき、自動的に風量が増える。これにより、低温時の除湿能力が高まる。
【００４３】
連続運転ではクール運転かドライ運転のいずれかを選択する。湿度に関係なく連続した除湿運転が行われる。このとき、設定された風量にしたがって、各送風機１２、１３が駆動される。
【００４４】
送風運転では、、温風路１１から温風を吹き出す方向としてクール運転かドライ運転のいずれかを選択する。冷凍サイクルの運転は行われず、各送風機１２、１３だけが駆動される。
【００４５】
制御装置２０は、イオン発生装置１５を駆動して、正イオンおよび負イオンを発生させて室内に放出する、イオン運転を行う。イオン運転は、上記の各運転に対して任意で行われる。すなわち、イオン運転ボタンが操作されたときに、イオン運転が行われる。
【００４６】
イオン発生装置１５は、イオン発生素子と、これに高電圧を印加する高圧ユニット駆動回路３０とを有する。制御装置２０が高圧ユニット駆動回路３０を駆動すると、イオン発生素子に高電圧が印加され、イオン発生素子から正イオンおよび負イオンが発生する。正イオンおよび負イオンは、冷風路１０を流れる風によって吹出口６から吹き出される。
【００４７】
また、冷凍サイクルの運転において、制御装置２０は、室温に応じて圧縮機４の駆動を制御する。室温が第１温度未満、例えば約５℃未満になると、圧縮機４が停止され、除湿した水の凍結を防止する。室温が第２温度以上、例えば約４０℃以上になると、冷凍サイクルの運転が停止され、装置に無理がかからないようにして、装置を保護する。室温が第３温度以上、例えば約３５℃以上のとき、圧縮機４を駆動したまま、送風機１２、１３が高回転され、圧縮機４の温度を下げるようにする。
【００４８】
さらに、制御装置２０は、蒸発器２への着霜を検知したとき、除霜運転も行う。着霜の検知としては、所定の霜付き条件を満たしたときに着霜と判断する。例えば、室温が設定温度以下、例えば１９℃以下になったとき、あるいは、蒸発器２の表面温度が所定温度以下、例えば０℃以下になったときである。制御装置２０は、温度検知器２２や蒸発器温度検知器２３からの出力により、この条件を満たしたことを検知したとき、除霜運転を行なう。
【００４９】
除霜運転を開始すると、制御装置２０は、圧縮機４を停止させ、各送風機１２、１３を駆動する。制御装置２０は、除霜運転開始前に行っていた冷風運転等の除湿運転時に設定された風量を維持するように、各モータ駆動回路２７を制御する。これにより、各送風機１２、１３は、除湿運転時と同じ回転数で駆動される。除霜運転時は圧縮機４の運転が止まり送風機１２、１３は送風運転を行なっているので、蒸発器２の温度を上げ、着霜した霜を溶かす。
【００５０】
制御装置２０は、除霜運転の開始から一定時間経過したとき、除霜運転を終了する。あるいは、蒸発器温度検知器２３によって検出した蒸発器２の表面温度が所定温度に達したら、除霜運転を終了する。除霜運転が終了すると、切り替え前に行われていた除湿運転が再開される。
【００５１】
冷凍サイクルの運転中、室内の空気が除湿されて、ドレンタンク５に水が溜まっていく。ドレンタンク５の水位が一定水位になると、制御装置２０は、満水検知装置２５からの出力信号によって満水を検知する。すなわち、水位の上昇に伴って、フロート３２が上がると、磁石３３が下がる。満水になると、磁気センサ３４は磁石３３の磁気を検出できなくなり、磁気センサ３４はオフ信号を出力する。
【００５２】
制御装置２０は、満水になったことを検知すると、冷凍サイクルの運転を停止するとともに、各送風機１２、１３の駆動を停止する満水停止を実行する。ドレンタンク５がハウジング１から取り出された後、空になったドレンタンク５が装着されると、満水検知装置２５の磁気センサ３４は、ドレンタンク５内の磁石３３の磁気を検出する。磁気センサ３４がオン信号を出力すると、制御装置２０は、ドレンタンク５が装着されたことを検知して、運転待機状態となる。なお、排水後のドレンタンク５が装着されたとき、満水停止前の運転を自動的に再開するような制御を行ってもよい。
【００５３】
また、ハウジング１に振動が加わったり、ハウジング１が転倒したりしたとき、振動検知器２６は、この動きを検出して、オン信号を出力する。制御装置２０は、振動検知器２６の出力に基づいて振動の程度を判断する。軽微な振動の場合、振動検知器２６からの出力は、一瞬のオン信号であったり、短時間のオン信号であったりする。一方、強い振動や転倒の場合、振動検知器２６からの出力は、連続したオン信号、あるいは長時間のオン信号である。
【００５４】
制御装置２０は、所定時間経過したとき、オン信号が入力されていると、異常な振動であると判断し、所定時間経過したとき、オン信号が入力されていないと、軽微な振動であるから異常ではないと判断する。このように、最初に振動が検知されたときから制御を開始するまでの間に所定時間のタイムラグが設けられる。このタイムラグ時間は、振動検知器２６からのオン信号が入力された時点から判断する時点までの時間である。
【００５５】
そして、制御装置２０は、異常振動であると判断したとき、即座に全ての運転を停止して、電源をオフする異常停止を実行する。このとき、制御装置２０も動作を停止する。異常停止の復帰には、運転ボタンを２回操作するといった特殊操作を要する。特殊操作が行われると、電源がオンし、制御装置２０が立ち上がって、運転の制御が行われる。
【００５６】
異常停止後、すぐに運転を開始するとき、振動検知器２６自身が揺れていて、オン信号を出力する場合がある。この場合に特殊操作が行われたとき、制御装置２０は、振動検知器２６からの入力を一定時間受け付けない。一定時間の間に、振動検知器２６がオン信号を出力しても、制御装置２０は、この信号を無視し、異常停止を行わない。一定時間経過すると、運転が開始される。したがって、異常停止が繰り返されず、すぐに運転を開始することができる。
【００５７】
ところで、ドレンタンク５が満水になったとき、ハウジング１からドレンタンク５が取り出されて、排水される。そして、空になったドレンタンク５がハウジング１に装着される。この着脱のとき、ハウジング１に衝撃が加わって、ハウジング１が揺れる。振動検出器２６は、この振動を検出してしまう。
【００５８】
そこで、制御装置２０は、ドレンタンク５の満水になったことを検知したとき、振動の検知による制御を禁止する。すなわち、ドレンタンク５が満水になったとき、ドレンタンク５が着脱されるので、制御装置２０は、振動を検知しても、異常停止を行わない。
【００５９】
このように、ドレンタンク５が満水になったとき、ドレンタンク５の着脱が行われる。このとき、ハウジング１に振動が加わり、振動検知器２６は振動を検出する。しかし、この振動は無視され、異常停止が回避される。したがって、ドレンタンク５の着脱の度に特殊操作を行って、運転を復帰させる必要がなくなり、利便性の向上を図れる。
【００６０】
また、満水になったドレンタンク５を取り出した後、空のドレンタンク５が装着される。このときにも、ハウジング１が振動して、制御装置２０は、異常振動と判断するおそれがある。そこで、制御装置２０は、ドレンタンク５の満水を検知した後、一定水位より低い水位を検知したとき、所定時間だけ振動の検知による制御を禁止する。すなわち、満水停止中に、ドレンタンク５が装着されたとき、制御装置２０は、振動を検知しても、異常停止を行わない。
【００６１】
このように、空にしたドレンタンク５を装着したとき、ハウジング１に振動が加わり、振動検知器２６は振動を検出する。しかし、所定の時間だけ、この振動は無視され、異常停止が回避される。この所定時間は、ドレンタンク５を装着したときに発生する振動が検知されない程度にまで収まる時間に設定する。したがって、不要な異常停止をなくすことができ、利便性の向上を図れる。
【００６２】
また、運転ボタンの操作により、冷風運転、衣類乾燥運転、自動除湿運転、連続運転のいずれかの除湿運転が停止された後、再運転を行うとき、制御装置２０は、圧縮機４の駆動を規制する。
【００６３】
すなわち、除湿運転の停止後、再運転のために運転ボタンが操作されたとき、一定時間、例えば３分間だけ圧縮機４を駆動せず、送風機１２、１３だけを駆動する。一定時間が経過すると、圧縮機４が駆動され、冷凍サイクルの運転が開始される。また、電源プラグを差し込んだ直後に、運転ボタンを操作したときにも、同様の制御が行われる。これによって、圧縮機４に負荷がかからず、装置の保護を図れる。
【００６４】
なお、本発明は、上記実施形態に限定されるものではなく、本発明の範囲内で上記実施形態に多くの修正および変更を加え得ることは勿論である。空気調節装置として、除湿機以外に、移動自在な床置き型であればよく、一体型空気調和機、クーラ、冷風機があげられる。
【００６５】
上記の除湿機では、２つの送風機にそれぞれモータが設けられ、独立して駆動されるが、１つのモータで２つの送風機を駆動する方式としてもよい。この場合、２つの送風機の回転数は同じとなる。
【図面の簡単な説明】
【００６６】
【図１】本発明の除湿機の概略構成を示す図
【図２】除湿機の制御ブロック図
【符号の説明】
【００６７】
１    ハウジング
２    蒸発器
３    凝縮器
４    圧縮機
５    ドレンタンク
６    吹出口
７    吸込口
８    排気口
１２    第１送風機
１３    第２送風機
１５    イオン発生装置
１６    ヒータ
２０    制御装置
【図１】
0005122881.tif 000002
【図２】
0005122881.tif 000003